【手続補正書】
【提出日】平成16年11月15日(2004.11.15)
【手続補正１】
【補正対象書類名】明細書
【補正対象項目名】発明の名称
【補正方法】変更
【補正の内容】
【発明の名称】生体磁場計測装置
【手続補正２】
【補正対象書類名】明細書
【補正対象項目名】特許請求の範囲
【補正方法】変更
【補正の内容】
【特許請求の範囲】
【請求項１】
検査対象の心臓から発する磁場を検出し、２次元に配列される複数のＳＱＵＩＤ磁束計と、前記複数のＳＱＵＩＤ磁束計を冷却する低温容器と、床面に固定され前記低温容器を保持するガントリと、前記検査対象を保持し前記低温容器の底面に平行な上面をもつベッドと、前記複数のＳＱＵＩＤ磁束計による計測面をｘｙ面とする座標系（ｘ、ｙ、ｚ）をとるとき、前記ベッドをｘ、ｙ、ｚの各方向に移動させる手段と、前記複数のＳＱＵＩＤ磁束計を駆動する駆動回路と、前記複数のＳＱＵＩＤ磁束計により検出される磁場波形の信号を収集して演算処理を行なう演算処理手段と、前記演算処理の結果を表示する表示手段と、ｘｚ面内で扇状に広がり、前記低温容器の底面の外周面に印されるｘｚ標識を照射する第１の扇状レーザを発生する第１のレーザ源と、ｙｚ面内で扇状に広がり、前記低温容器の底面の外周面に印されるｙｚ標識を照射する第２の扇状レーザを発生する第２のレーザ源と、前記第１及び第２の扇状レーザに交叉するように、前記ベッドの上面を斜め方向から照射する線状のレーザビームを発生する第３のレーザ源と、前記ガントリーに前記第１のレーザ源を固定する第１のフレームと、前記ベッドを保持する保持台に前記第２のレーザ源を固定する第２のフレームと、前記第３のレーザ源を前記床面又は天井に固定する第３のフレームとを有し、前記第２の扇状レーザが、前記検査対象の胸部の第１の点の体表面に配置された第１のマーカにより示される第１の基準点と、前記検査対象の胸部の第２の体表面に配置された第２のマーカにより示される第２の基準点を通るように、前記第２のレーザ源がｘ方向に移動され、前記第１の基準点と前記第２の基準点とを結ぶ線が、前記複数のＳＱＵＩＤ磁束計の中心が配列する１方向に一致又は平行となるように、前記検査対象の胸部が前記低温容器の底面の下部に配置されて、前記検査対象の位置が調整され、前記第１の扇状レーザが前記第１の基準点を通るように、前記ベッドがｙ方向に移動され、前記第２の扇状レーザがｙｚ面に一致するように、前記ベッドがｘ方向に移動され、前記線状のレーザビームが前記第１の基準点に一致するまで、前記ベッドがｚ方向に移動され、前記演算手段は、（１）前記磁場波形の信号から前記検査対象の心臓の活動に関する機能情報を表わす画像を作成する処理と、（２）前記第１のマーカが前記第１の基準点に配置されて、撮像装置により撮影された前記検査対象の心臓を含む形態画像の画素の大きさに、前記機能情報を表わす画像の画素の大きさを一致させ、前記形態画像の画素の大きさと同じ大きさの画素をもつ機能画像を作成する処理と、（３）前記機能画像に於ける前記第１の基準点の位置と、前記形態画像に於ける前記第１の基準点の位置と一位させる処理と、及び、（４）前記機能画像と前記形態画像との合成画像を作成する処理とを実行し、前記合成画像が前記表示手段に表示されることを特徴とする生体磁場計測装置。
【請求項２】
請求項１に記載の生体磁場計測装置に於いて、前記第１の点が前記検査対象の剣状突起であり、前記第２の点が前記検査対象の頸切痕であることを特徴とする生体磁場計測装置。
【請求項３】
検査対象の心臓から発する磁場を検出し、２次元に配列される複数のＳＱＵＩＤ磁束計と、前記複数のＳＱＵＩＤ磁束計を冷却する低温容器と、床面に固定され前記低温容器を保持するガントリと、前記検査対象を保持し前記低温容器の底面に平行な上面をもつベッドと、前記複数のＳＱＵＩＤ磁束計による計測面をｘｙ面とする座標系（ｘ、ｙ、ｚ）をとるとき、前記ベッドをｘ、ｙ、ｚの各方向に移動させる手段と、前記複数のＳＱＵＩＤ磁束計を駆動する駆動回路と、前記複数のＳＱＵＩＤ磁束計により検出される磁場波形の信号を収集して演算処理を行なう演算処理手段と、前記演算処理の結果を表示する表示手段と、ｘｚ面内で扇状に広がり、前記低温容器の底面の外周面に印されるｘｚ標識を照射する第１の扇状レーザを発生する第１のレーザ源と、ｙｚ面内で扇状に広がり、前記低温容器の底面の外周面に印されるｙｚ標識を照射する第２の扇状レーザを発生する第２のレーザ源と、前記第１及び第２の扇状レーザに交叉するように、前記ベッドの上面を斜め方向から照射する線状のレーザビームを発生する第３のレーザ源とを有し、前記第２の扇状レーザが、前記検査対象の胸部の第１の点の体表面に配置された第１のマーカにより示される第１の基準点と、前記検査対象の胸部の第２の体表面に配置された第２のマーカにより示される第２の基準点を通るように、前記第２のレーザ源がｘ方向に移動され、前記第１の基準点と前記第２の基準点とを結ぶ線が、前記複数のＳＱＵＩＤ磁束計の中心が配列する１方向に一致又は平行となるように、前記検査対象の胸部が前記低温容器の底面の下部に配置されて、前記検査対象の位置が調整され、前記第１の扇状レーザが前記第１の基準点を通るように、前記ベッドがｙ方向に移動され、前記第２の扇状レーザがｙｚ面に一致するように、前記ベッドがｘ方向に移動され、前記線状のレーザビームが前記第１の基準点に一致するまで、前記ベッドがｚ方向に移動されることを特徴とする生体磁場計測装置。
【請求項４】
請求項３に記載の生体磁場計測装置に於いて、前記第１の点が前記検査対象の剣状突起であり、前記第２の点が前記検査対象の頸切痕であることを特徴とする生体磁場計測装置。
【請求項５】
検査対象の心臓から発する磁場を検出し、２次元に配列される複数のＳＱＵＩＤ磁束計と、前記複数のＳＱＵＩＤ磁束計を冷却する低温容器と、床面に固定され前記低温容器を保持するガントリと、前記検査対象を保持し前記低温容器の底面に平行な上面をもつベッドと、前記複数のＳＱＵＩＤ磁束計による計測面をｘｙ面とする座標系（ｘ、ｙ、ｚ）をとるとき、前記ベッドをｘ、ｙ、ｚの各方向に移動させる手段と、前記複数のＳＱＵＩＤ磁束計を駆動する駆動回路と、前記複数のＳＱＵＩＤ磁束計により検出される磁場波形の信号を収集して演算処理を行なう演算処理手段と、前記演算処理の結果を表示する表示手段と、ｘｚ面内で扇状に広がり、前記低温容器の底面の外周面に印されるｘｚ標識を照射する第１の扇状レーザを発生する第１のレーザ源と、ｙｚ面内で扇状に広がり、前記低温容器の底面の外周面に印されるｙｚ標識を照射する第２の扇状レーザを発生する第２のレーザ源と、前記第１及び第２の扇状レーザに交叉するように、前記ベッドの上面を斜め方向から照射する線状のレーザビームを発生する第３のレーザ源とを有し、前記第２の扇状レーザが、前記検査対象の胸部の第１の点の体表面に配置された第１のマーカにより示される第１の基準点と、前記検査対象の胸部の第２の体表面に配置された第２のマーカにより示される第２の基準点を通るように、前記第２のレーザ源がｘ方向に移動され、前記第１の基準点と前記第２の基準点とを結ぶ線が、前記複数のＳＱＵＩＤ磁束計の中心が配列する１方向に一致又は平行となるように、前記検査対象の胸部が前記低温容器の底面の下部に配置されて、前記検査対象の位置が調整され、前記第１の扇状レーザが前記第１の基準点を通るように、前記ベッドがｙ方向に移動され、前記第２の扇状レーザがｙｚ面に一致するように、前記ベッドがｘ方向に移動され、前記線状のレーザビームが前記第１の基準点に一致するまで、前記ベッドがｚ方向に移動され、前記演算手段は、（１）前記磁場波形の信号から前記検査対象の心臓の活動に関する機能情報を表わす画像を作成する処理と、（２）前記第１のマーカが前記第１の基準点に配置されて、撮像装置により撮影された前記検査対象の心臓を含む形態画像の画素の大きさに、前記機能情報を表わす画像の画素の大きさを一致させ、前記形態画像の画素の大きさと同じ大きさの画素をもつ機能画像を作成する処理と、（３）前記機能画像に於ける前記第１の基準点の位置と、前記形態画像に於ける前記第１の基準点の位置と一位させる処理と、及び、（４）前記機能画像と前記形態画像との合成画像を作成する処理とを実行し、前記合成画像が前記表示手段に表示されることを特徴とする生体磁場計測装置。
【請求項６】
請求項５に記載の生体磁場計測装置に於いて、前記第１の点が前記検査対象の剣状突起であり、前記第２の点が前記検査対象の頸切痕であることを特徴とする生体磁場計測装置。